(57)【要約】【課題】封書の無駄をなくして封書の質量を低減させた、低コストかつ訴求効果のある封書を提供する。【解決手段】封書は、１１月、１２月が印刷された封書裏面となる封書紙片１と、９月、１０月が印刷されたデータ印刷紙２と、７月、８月が印刷されたデータ印刷紙３と、５月、６月が印刷されたデータ印刷紙４と、３月、４月が印刷されたデータ印刷紙５と、１月、２月が印刷されたデータ印刷紙６と、封書表面となる封書紙片７と有し構成される。封書表面となる封書紙片７は、封書を開封するための開封用ミシン目により、カレンダーを視認する窓部と、長方形状に区画されたジッパーとなる部分（ジッパー部）が形成される。また、封書紙片７の縁周辺部に綴じ代部を有し、粘着剤を塗布して、封書裏面となる封書紙片１と綴じ合わせて封書を形成する。【選択図】　　　　図１
2004017638.tif 000002
【特許請求の範囲】
【請求項１】
各種情報が印刷されたデータ紙片が、封書表面となる封書表片と封書裏面となる封書裏片とが縁周辺において接着させてなる封書内部に位置するように、前記データ紙片の一端辺と、前記封書裏片の一端辺と、前記封書表片の一端辺とを綴合せてなる封書であって、
前記封書裏片又は前記封書表片において、前記封書内に位置するデータ紙片が視認可能となる窓部が形成されるよう切断予定線が設けられていることを特徴とする封書。
【請求項２】
前記データ紙片において、
個人に関する情報を印字することを特徴とする請求項１記載の封書。
【請求項３】
前記封書裏片又は前記封書表片において、
個人に関する情報を印字することを特徴とする請求項１記載の封書。
【請求項４】
前記切断予定線を切断して形成した窓部において、
前記データ紙片の他端辺が前記形成した窓部から視認できないことを特徴とする請求項１記載の封書。
【請求項５】
前記切断予定線が設けられた前記封書裏片又は前記封書表片において、
前記窓部を開封するジッパー部を有することを特徴とする請求項１記載の封書。
【請求項６】
前記データ紙片において、
カレンダーが印刷されていることを特徴とする請求項１記載の封書。
【請求項７】
封書紙片に、封書を開封する切り取り予定線を施すミシン目形成工程と、
各種情報と個人に関する個人情報とが印刷された複数のデータ印刷紙の一端辺を、印刷面が同一方向となるように順に丁合してデータ印刷片を形成するデータ印刷紙丁合工程と、
前記データ印刷紙丁合工程により形成されたデータ印刷片をＴ字型の形状に切り取る中抜き工程と、
前記中抜き工程により切り取られたＴ字型のデータ印刷片を、個人情報が印字された封書紙片と、前記ミシン目形成工程により切り取り予定線が施された封書紙片とが覆うように、前記個人情報が印字された封書紙片と、前記Ｔ字型のデータ印刷片と、前記切り取り予定線が施された封書紙片と、の一端辺を揃えて丁合させ封書を作成するデータ紙片丁合工程と、
を有することを特徴とする封書の製造方法。
【請求項８】
前記データ印刷紙丁合工程における前記データ印刷片及び前記データ紙片丁合工程における前記封書が、同一の個人情報を丁合しているか否かを検証することを特徴とする請求項７記載の封書の製造方法。
【発明の詳細な説明】
【０００１】
【発明の属する技術分野】
本発明は、各種情報が印刷されたデータ印刷紙を封書に封入した封書及びその製造方法に関する。
【０００２】
【従来の技術】
近年、ダイレクトメールは有力な広告媒体として注目されており、ダイレクトメールの需要が拡大している。例えば、生命保険会社においては、自社の広告入りカレンダーや各種広告印刷物を封書に入れて配布または郵送することで顧客に提供していた。
【０００３】
【発明が解決しようとする課題】
しかしながら、単に、印刷物を封書に入れて顧客に提供しただけでは、顧客にとっては面白みに欠けるため、提供された封書を開封せずに捨ててしまうことも多々あり、顧客に対する訴求力といった点で不十分なものであった。また、カレンダーや各種広告等の印刷物を封書の中に入れて、顧客に対して提供する場合は、顧客の数が多くなるにつれて印刷物の封入作業が非常に煩雑なものとなる。また、封書内に入れる封入物に個人に関する情報を盛り込む場合は、封書表面の宛名と印刷物の個人情報を照合する作業が困難であるため、窓開き封書などのコストの高い封書を使わざるを得なかった。また、開封後の封書自体がゴミとなり、資源の有効利用がなされていないのが現状であり、製品のコスト高の要因でもあった。
【０００４】
本発明は、上記事情に鑑みてなされたものであり、封書の無駄をなくして封書の質量を低減させた、低コストかつ訴求効果のある封書及びその製造方法を提供することを目的とする。
【０００５】
【課題を解決するための手段】
かかる目的を達成するために請求項１記載の発明は、各種情報が印刷されたデータ紙片が、封書表面となる封書表片と封書裏面となる封書裏片とが縁周辺において接着させてなる封書内部に位置するように、データ紙片の一端辺と、封書裏片の一端辺と、封書表片の一端辺とを綴合せてなる封書であって、封書裏片又は封書表片において、封書内に位置するデータ紙片が視認可能となる窓部が形成されるよう切断予定線が設けられていることを特徴とする。
【０００６】
請求項２記載の発明は、請求項１記載の封書において、データ紙片において、個人に関する情報を印字することを特徴とする。
【０００７】
請求項３記載の発明は、請求項１記載の封書において、封書裏片又は封書表片において、個人に関する情報を印字することを特徴とする。
【０００８】
請求項４記載の発明は、請求項１記載の封書において、切断予定線を切断して形成した窓部において、データ紙片の他端辺が形成した窓部から視認できないことを特徴とする。
【０００９】
請求項５記載の発明は、請求項１記載の封書において、切断予定線が設けられた封書裏片又は封書表片において、窓部を開封するジッパー部を有することを特徴とする。
【００１０】
請求項６記載の発明は、請求項１記載の封書において、データ紙片において、カレンダーが印刷されていることを特徴とする。
【００１１】
請求項７記載の発明は、封書紙片に、封書を開封する切り取り予定線を施すミシン目形成工程と、各種情報と個人に関する個人情報とが印刷された複数のデータ印刷紙の一端辺を、印刷面が同一方向となるように順に丁合してデータ印刷片を形成するデータ印刷紙丁合工程と、データ印刷紙丁合工程により形成されたデータ印刷片をＴ字型の形状に切り取る中抜き工程と、中抜き工程により切り取られたＴ字型のデータ印刷片を、個人情報が印字された封書紙片と、ミシン目形成工程により切り取り予定線が施された封書紙片とが覆うように、個人情報が印字された封書紙片と、Ｔ字型のデータ印刷片と、切り取り予定線が施された封書紙片と、の一端辺を揃えて丁合させ封書を作成するデータ紙片丁合工程と、を有することを特徴とする。
【００１２】
請求項８記載の発明は、請求項７記載の封書の製造方法において、データ印刷紙丁合工程におけるデータ印刷片及びデータ紙片丁合工程における封書が、同一の個人情報を丁合しているか否かを検証することを特徴とする。
【００１３】
【発明の実施の形態】
以下、添付図面を参照しながら本発明にかかる封書及びその製造方法の実施の形態について詳細に説明する。
【００１４】
封書は、封書を形成する封書裏面となる封書紙片（以下、封書裏片とする）と、各種情報が印刷されたデータ紙片と、封書を形成する封書表面となる封書紙片（以下、封書表片とする）と、を積層して構成される。以下、本実施形態では、各種情報としてカレンダーが印刷された場合について詳細に説明する。但し、本発明は、カレンダーに限定されるわけではなく様々な情報を印刷し、封書内部に封入することができる。
【００１５】
図１を参照しながら封書の構成を説明する。
封書は、封書裏片１と、９月、１０月のカレンダーが印刷されたデータ印刷紙２と、７月、８月のカレンダーが印刷されたデータ印刷紙３と、５月、６月のカレンダーが印刷されたデータ印刷紙４と、３月、４月のカレンダーが印刷されたデータ印刷紙５と、１月、２月のカレンダーが印刷されたデータ印刷紙６と、封書表片７と、を積層して構成される。１１月、１２月のカレンダーは、封書裏片１において、封書表片７が積層される側の面（上面）に印刷されている。また、封書裏片１と、封書表片７との両方またはどちらか一方は、封書を形成する点を考慮して多少厚みのあるものを使用することが好ましい。以下、封書を形成する構成要素ごとに説明する。
【００１６】
図２に、封書表片７の形状を示す。
封書表片７には、封書表片７の縁周辺部に沿って、封書を開封するための開封用ミシン目が縦に２つ１１，１２、また、横に２つ１４，１５形成されており、また、折線１３が形成されている。この開封用ミシン目と、折線１３とにより、カレンダーを視認する窓部１６と、長方形状に区画されたジッパーとなる部分（ジッパー部）１７が形成される。また、開封用ミシン目を介して封書表片７の縁周辺部に綴じ代部１８を有し、この綴じ代部１８に糊などの粘着剤を塗布して、封書裏片１と綴じ合わせて封書を形成する。なお、綴じ代部１８に粘着剤を塗布する方法としては、封書が密封するように封書表片７の縁に沿って塗布することが好ましい。
【００１７】
図３に、封書裏片１とカレンダーが印刷されたデータ印刷紙との形状を示す。
封書裏片１には、封書裏片１の縁周辺部に、綴じ代部２１を有し、封書表片７の綴じ代部１８と綴じ合わせ、封書を形成する。なお、封書を綴じ合わせる際には、封書裏片１において、封書の外側部分となる面には宛て名が印字されており、封書の内側部分となる面には１１月、１２月のカレンダーが印刷されるように綴じ合わせる。
【００１８】
また、９月、１０月のカレンダーが印刷されたデータ印刷紙２と、７月、８月のカレンダーが印刷されたデータ印刷紙３と、５月、６月のカレンダーが印刷されたデータ印刷紙４と、３月、４月のカレンダーが印刷されたデータ印刷紙５と、１月、２月のカレンダーが印刷されたデータ印刷紙６との５枚のデータ印刷紙は、上記綴じ合わせた封書の内部に納められるものであり、Ｔ字型の形状をなす。データ印刷紙のＴ字型の縦型部分２２は、各データ印刷紙（２〜６）を貼り合わせる綴じ代部分であり、各データ印刷紙（２〜６）を貼り合わせデータ印刷片２３を形成する。該形成したデータ印刷片２３の縦型部分２２は、封書裏片１の一端辺及び封書表片７の一端辺と貼り合わせ固定端部となる縦型部分２２を形成する。データ印刷紙のＴ字型の横型部分２４は、カレンダーが印刷される部分である。また、データ印刷紙のＴ字型の横型部分２４は、該横型部分２４の高さＨを、綴じ代部１８、２１と重ならない長さ（封書表片７に形成された縦のミシン目１１，１２と同定度の長さ又はミシン目１１，１２より若干短い長さ）に設定し、該横型部分２４の幅Ｗを、綴じ代部１８，２１に若干重なる長さ（封書表片７に形成された横のミシン目１４，１５より若干長めの長さ）に設定し、自由端部となる横型部分２４を形成する。
【００１９】
このように、横型部分２４の幅Ｗを窓部１６の幅より若干長くすることで、各データ印刷紙の具備するストッパー部２５を、封書表片７と、封書裏片１との間に挿入された状態となり、自由端部となる横型部分２４を固定することができる。
【００２０】
但し、自由端部となる横型部分２４が固定されるには、封書表紙片７の綴じ代部１８と、封書裏片１の綴じ代部２１とが、ストッパー部２５を挿入する部分を残して形成するように綴じ合わせることになる。このため、粘着剤を綴じ代部１８、２１に塗布する際には、ストッパー部２５を挿入する範囲が形成されるように粘着剤を塗布することが好ましい。より詳細には、綴じ代部１８、２１において、ストッパー部２５が挿入される部分よりも、封書表片７又は封書裏片１の縁に近い場所に粘着剤を塗布することが好ましい。更に好ましくは、封書が密封するように封書表片７又は封書裏片１の縁に沿って粘着剤を塗布することが好ましい。
【００２１】
次に、図４から図１１を参照しながら、カレンダー入り封書を形成する印刷紙の形状について説明する。
図４に、１月、２月のカレンダーが印刷されたデータ印刷紙６（中身１Ｐ（ページ）目）を示し、図５に、３月、４月のカレンダーが印刷されたデータ印刷紙５（中身２Ｐ目）を示し、図６に、５月、６月のカレンダーが印刷されたデータ印刷紙４（中身３Ｐ目）を示す。また、図７に、７月、８月のカレンダーが印刷されたデータ印刷紙３（中身４Ｐ目）を示し、図８に、９月、１０月のカレンダーが印刷されたデータ印刷紙２（中身５Ｐ目）を示す。また、図９に、１１月、１２月のカレンダーが印刷された封書裏片１（封筒下―表）を示し、図１０に、宛て名部分が印刷された封書裏片１（封筒下―裏）を示し、図１１に、封書表片７（封筒上）を示す。
【００２２】
本実施の形態において、各データ印刷紙２、３、４、５、６には、図４から図８に示すように、データ印刷紙の略中心部分２６を境界に月毎のカレンダーが印刷されている。また、個人情報を印字する印字部２７が設けられており、個人情報の印字処理を施すことで印字部２７に個人情報が印字される。但し、個人情報の印字処理は、印字部２７だけに限定されるものではなく、データ印刷紙全体に印字可能である。
【００２３】
なお、個人情報の形態（写真、絵柄、文章等）は必要に応じて適宜決定されるものであり、特に限定しない。好ましくは、個人向けとしては、顧客からの情報に基づき、本人並びに家族の誕生日や記念日が印字されることが好ましい。例えば、誕生日となる日を枠で囲ったり、印字部２７に、誕生日に起こった出来事を印字したりする。また、企業向ＰＲ用としては、特売日や休館日の通知等が好ましく、これにより高い広告効果が得られる。
【００２４】
また、各データ印刷紙の略中心部分２６、及び、Ｔ字型の分岐点部分２８にはミシン目が形成されており、このミシン目により、データ印刷紙を切り取って分割することができる。
【００２５】
次に、上記構成されたカレンダー入り封書の丁合処理の一例を説明する。
まず、９月、１０月のカレンダーが印刷されたデータ印刷紙２の一端辺と、７月、８月のカレンダーが印刷されたデータ印刷紙３の一端辺と、５月、６月のカレンダーが印刷されたデータ印刷紙４の一端辺と、３月、４月のカレンダーが印刷されたデータ印刷紙５の一端辺と、１月、２月のカレンダーが印刷されたデータ印刷紙６の一端辺とを、印刷面が同一方向となるように順に貼り合わせ５枚のデータ印刷紙が重なったデータ印刷片を形成する。該形成したデータ印刷片に中抜き加工を施し、Ｔ字型のデータ印刷片を形成する。該形成したＴ字型のデータ印刷片において、９月、１０月のカレンダーが印刷されたデータ印刷紙が貼り合わされている側に、封書裏片１（封書の外側となる面には、図１０に示すように、宛て名が印刷されており、封書の内側となる面には、図９に示すように、１１月、１２月のカレンダーが印刷されている）を貼り合わせ、該形成したＴ字型のデータ印刷片において、１月、２月のカレンダーが印刷されたデータ印刷紙が貼り合わされている側に、封書表片７（図１１に示すように広告が印刷されている）を貼り合わせ、カレンダー入り封書を作成する。
【００２６】
このように、カレンダーが印刷されたデータ印刷紙を貼り合わせ、データ印刷片を形成する。該形成したデータ印刷片に中抜き加工を施し、Ｔ字型のデータ印刷片を形成する。該形成したＴ字型のデータ印刷片に、封書を形成する封書裏片１と、封書表片７と、を貼り合わせることで、カレンダー入り封書を作成することができる。
【００２７】
次に、上記作成したカレンダー入り封書の開封方法について図１１、図１２を参照しながら説明する。図１２に、カレンダー入り封書の開封時の状態を示す。
まず、長方形状に形成されたジッパー部１７を、ミシン目に添って矢印方向に切り取る。次に、切り取ったジッパー部１７の両端にあるミシン目１１、１２に添って開封する。そして、封書の内側が見えるように、最後に残った折線１３に添って、上記開封した窓部１６を外側に折り曲げる。このように、封書の開封時には、ナイフやカッターを必要とせず、ミシン加工のジッパー方式にて容易に開封し、封書の内部に具備するカレンダーを閲覧することができる。また、ジッパー部１７を設けることで、開封者に対して興味を抱かせ開封を促し、高い広告効果が得られる。また、データ印刷紙は、一端において封書表片７及び封書裏片１と綴合されているので、窓部１６からカレンダーが印刷された部分の位置がずれることがなく、確実に視認できる。
【００２８】
なお、封書表片７において、開封用ミシン目に沿って開封した側の面に、フィルム状のポケット部１９を設けることで、写真やメモ入れに使用することができる。
【００２９】
（実施例）
次に、図１３を参照しながら上記カレンダー入り封書を作成する一連の処理動作を説明する。
まず、オフセット印刷を行い、１月、２月のカレンダーが印刷されたデータ印刷紙６（中身１Ｐ目）と、３月、４月のカレンダーが印刷されたデータ印刷紙５（中身２Ｐ目）と、５月、６月のカレンダーが印刷されたデータ印刷紙４（中身３Ｐ目）と、７月、８月のカレンダーが印刷されたデータ印刷紙３（中身４Ｐ目）と、９月、１０月のカレンダーが印刷されたデータ印刷紙２（中身５Ｐ目）とを形成する。また、封書裏片１の一方に１１月、１２月のカレンダーの印刷（封筒下―表）を行い、他方に、宛名の共通となる部分（差し出し名等）の印字（封筒下―裏）を行う。また、封書表片７に広告等の印刷（封筒上）を行う（ステップＳ１）。封書表片７の印刷は表、裏両方に印刷可能である。
【００３０】
また、オフセット印刷時には、封書表片７には、図１１に示すように、縦方向に２つ１１，１２、横方向に２つ１４，１５の開封用ミシン目と、折線１３とを形成する。また、カレンダーが印刷された５枚のデータ印刷紙２〜６には図４から図８に示すように、縦方向に２つの切り取り用ミシン目２６、２８を形成する。
【００３１】
次に、データ印刷紙２〜６と封書裏片１とに、個人データとなる情報（個人情報）を印字する（ステップＳ２）。この印字処理により、Ａさん，Ｂさん，Ｃさん，Ｄさんと言ったように、個人情報が印字される。なお、この印字処理は、上記オフセット印刷を行った全ての印刷紙に適用可能であり、個人情報の印字は、封書において、１ページであっても複数ページに渡っても良く、封書のレイアウトに応じて任意の枚数に印字してもよい。この印字処理により、個人毎のパーソナルカレンダーが形成される。
【００３２】
次に、必要に応じて封書表片７にフィルム状のポケットを貼り付ける（ステップＳ３）。
【００３３】
なお、上記において、データ印刷紙２〜６、封書表片７、封書裏片１は送り孔を有し、オフセット印刷及び印字処理の動作は、印刷紙がロール状に巻いた形で動作が完了する（Ｒｏｌｌ　ｔｏ　Ｒｏｌｌ）。これにより一連の処理を効率に行うことができる。
【００３４】
次に、丁合処理を行い（ステップＳ４）、カレンダー入り封書を作成する。
以下に、図１４、図１５を参照しながらロールコレータ機を用いた丁合処理を説明する。
図１５にロールコレータ機の構成を示す。
本実施形態に適用されるロールコレータ機は、７つのロール（Ｒ１〜Ｒ７）と、中抜き加工を施す中抜き加工部３０と、を有して構成される。ロールＲ１〜Ｒ６には検証機が設置されている。また、ロールＲ１，Ｒ３，Ｒ４，Ｒ５，Ｒ７には線糊を塗布するアプリケータノズルが設置されており、ロールＲ６には封筒パターン糊を塗布するアプリケータノズルが設置されている。なお、線糊とは、各印刷紙の一端に粘着剤を塗布することであり、封筒パターン糊とは、印刷紙の縁周辺に粘着剤を塗布することである。
【００３５】
７つのロール（Ｒ１〜Ｒ７）は、搬送ベルトの上位に４つのロール（Ｒ３，Ｒ４，Ｒ５，Ｒ７）を有し、下位に３つのロール（Ｒ１，Ｒ２，Ｒ６）を有する。ロールＲ１には９月、１０月のカレンダーが印刷されたデータ印刷紙（中身５Ｐ目）がセットされ、ロールＲ２には、７月、８月のカレンダーが印刷されたデータ印刷紙（中身４Ｐ目）がセットされている。以下同様に、ロールＲ３には、５月、６月のカレンダーが印刷されたデータ印刷紙（中身３Ｐ目）がセットされ、ロールＲ４には、３月、４月のカレンダーが印刷されたデータ印刷紙（中身２Ｐ目）がセットされ、ロールＲ５には、１月、２月のカレンダーが印刷されたデータ印刷紙（中身１Ｐ目）がセットされている。ロールＲ６には、封書裏片（封筒（下））がセットされ、ロールＲ７には、封書表片（封筒（上））がセットされている。
【００３６】
上記構成されたロールコレータ機において、まず、５枚のデータ印刷紙１Ｐ，２Ｐ，３Ｐ，４Ｐ，５Ｐを糊付けして丁合する。その糊付け丁合時において、まず、各データ印刷紙に具備する送り孔をローラに保持して各データ印刷紙をセットする（ステップＳ１０）。次に、各データ印刷紙をそれぞれ個別に同一方向に送ると共に９月、１０月のカレンダーが印刷されたデータ印刷紙（中身５Ｐ目）の上側に、７月、８月のカレンダーが印刷されたデータ印刷紙（中身４Ｐ目）を貼り合わせる（ステップＳ１１）。次に、７月、８月のカレンダーが印刷されたデータ印刷紙（中身４Ｐ目）の上側に、５月、６月のカレンダーが印刷されたデータ印刷紙（中身３Ｐ目）を貼り合わせる（ステップＳ１２）。次に、５月、６月のカレンダーが印刷されたデータ印刷紙（中身３Ｐ目）の上側に、３月、４月のカレンダーが印刷されたデータ印刷紙（中身２Ｐ目）を貼り合わせる（ステップＳ１３）。更に、３月、４月のカレンダーが印刷されたデータ印刷紙（中身２Ｐ目）の上側に、１月、２月のカレンダーが印刷されたデータ印刷紙（中身１Ｐ目）を貼り合わせる（ステップＳ１４）。
【００３７】
以上の処理により、５枚のデータ印刷紙が丁合されたデータ印刷片を形成することができる。なお、データ印刷片を形成する際に、ローラの配置位置により、貼り合わせる処理工程が違ってくるが、最終的にデータ印刷片を形成した段階で、１月から１０月までが順番に丁合されていれば貼り合わせる工程は限定しない。
【００３８】
なお、貼り合わせ処理の際は、セットしたロール紙から繰りだされるデータ印刷紙の所定箇所（データ印刷紙に貼付してある糊線）に粘着剤を塗布しながら各データ印刷紙を順に丁合することで互いに貼り合わせる。
【００３９】
また、丁合時において、検証機により、同一の個人情報のデータ印刷紙を貼り合わせているか否かの検証（マッチング検証）を行い、丁合のズレを防止する。マッチング検証としては、個人情報を印字する際に、バーコード（個人情報を識別する情報）を印字し、検証機において、バーコードが一致しているか否かを識別して検証する方法が挙げられる。
【００４０】
次に、５枚の丁合されたデータ印刷片に中抜き加工を行う（ステップＳ１５）。中抜き加工の処理動作は図１６に示すようにデータ印刷片の一端を連続させて長方形状に切り落とす。この中抜き処理により連続したＴ字型のデータ印刷片が形成される。次に、片方の送り孔部で保持した状態で、Ｔ字型のデータ印刷片の下側に、封書裏片１を貼り合わせる（ステップＳ１６）。なお、封書裏片１において、封書の外側となる部分には、宛名が印字されており（封筒下―裏）、封書の内側となる部分には、１１月、１２月のカレンダーが印字されている（封筒下―表）。次に、Ｔ字型のデータ印刷片の上側に封書表片７を貼り合わせる（ステップＳ１７）。なお、封書表片７において、両面には、広告となる情報が印刷されている（封筒上）。
【００４１】
なお、貼り合わせ処理は、セットしたロール紙から繰りだされる封書紙片の所定箇所（データ印字紙に貼付してある糊線）に粘着剤を塗布しながら封書を密封するように貼り合わせる。また、封書裏片１の丁合時においては、マッチング検証を行い、丁合のズレを防止する。
【００４２】
次に、全ての印刷紙が貼り合わされたカレンダー入り封書を、所定の封書の形状になるように両端を封書カットして（ステップＳ１８）、処理を終了する。
【００４３】
このように、印刷済みのロール紙をセットし、該セットしたロール紙から繰り出されるデータ印刷紙の所定箇所（データ印紙字に貼付してある糊線）に粘着剤を塗布しながら各用紙を丁合して互いに貼り合わせデータ印刷片を形成する。該形成したデータ印刷片に中抜き加工を施し、Ｔ字型のデータ印刷片を作成する。該Ｔ字型のデータ印刷片の上面に封書表片を貼り合わせ、該Ｔ字型のデータ印刷片の下面に封書裏片を貼り合わる。該貼り合わせた封書の端を切断することで、カレンダー入り封書を作成する。
【００４４】
また、データ印刷紙の端部には、個人を識別できるバーコードを有しており、各ローラに連動して設置した検証機にバーコードの読み込みを行い、認証を行うことで、丁合処理を行う個人データが一致しているか否かを判断することができる。
【００４５】
なお本発明は、上述する実施の形態に限定されるものではなく、本発明の要旨を逸脱しない範囲内において種々変更実施が可能である。例えば、本実施の形態において、データ出力紙、封筒紙片、の綴じ合わせには、ノズル式により糊を塗布して貼り合わせたが、糊車式でもよく、また、ノズル式と糊車式との併用も可能である。また、感圧、感熱接着材等を使用することも可能である。
【００４６】
また、本実施の形態において、ミシン加工を、ロールコレータ機を使用する前に行ったが、各ロールに、ミシン加工装置を取り付けてミシン目を形成することも可能である。
【００４７】
また、本実施の形態は、７枚の用紙を糊付け丁合する例を取ったが、各種情報の印刷形態により印刷される枚数に応じた数のローラを設置することで、複数の印刷紙を糊付け丁合する場合にも適用できる。また、封書表面となる封書紙片には、封書を壁に掛けるための孔部を設けることも可能である。
【００４８】
【発明の効果】
以上の説明により明らかなように本発明によれば、封書本体より狭い幅のデータ印刷紙の一端辺を、封書表面となる封書紙片と封書裏面となる封書紙片との間に綴じて、短形状に印刷された各種情報を視認できる封書により、受取人に興味を抱かせて開封を促し、高い広告効果が得られる。また、各種情報が印刷されたデータ印刷紙に個人に関する情報を印字することで、更に訴求効果を高めることができる。
【００４９】
また、封書と各種情報が印刷されたデータ印刷紙とが同一に貼り合わされた構造のため、開封する際のゴミを少なくすることができるため、印刷紙の無駄がなくなり、コストを削減することができる。
【図面の簡単な説明】
【図１】本発明にかかるカレンダー入り封書の構成を示すブロック図である。
【図２】封書表面となる封書紙片（封書表片）の形状を示すブロック図である。
【図３】封書裏面となる封書紙片（封書裏片）とデータ印刷紙との形状を示すブロック図である。
【図４】本実施形態に適用される、１月、２月のカレンダーが印刷されたデータ印刷紙の構成を示す図である。
【図５】本実施形態に適用される、３月、４月のカレンダーが印刷されたデータ印刷紙の構成を示す図である。
【図６】本実施形態に適用される、５月、６月のカレンダーが印刷されたデータ印刷紙の構成を示す図である。
【図７】本実施形態に適用される、７月、８月のカレンダーが印刷されたデータ印刷紙の構成を示す図である。
【図８】本実施形態に適用される、９月、１０月のカレンダーが印刷されたデータ印刷紙を示す図である。
【図９】本実施形態に適用される、１１月、１２月のカレンダーが印刷された封書裏面となる封書紙片を示す図である。
【図１０】本実施形態に適用される、宛名部分が印刷された封書裏面となる封書紙片（封書裏片）を示す図である。
【図１１】本実施形態に適用される、封書表面となる封書紙片（封書表片）を示す図である。
【図１２】本発明にかかるカレンダー入り封書を開封した際の構成示す図である。
【図１３】本発明にかかるカレンダー入り封書を作成する処理動作を示すフローチャートである。
【図１４】本発明にかかる丁合の処理動作を示すフローチャートである。
【図１５】ロールコレータ機の構成を示すブロック図である。
【図１６】ロールコレータ機において、中抜き加工を施した場合の状態を示す図である。
【符号の説明】
１　封書裏面となる封書紙片（封書裏片）
２　９月、１０月のカレンダーが印刷されたデータ印刷紙
３　７月、８月のカレンダーが印刷されたデータ印刷紙
４　５月、６月のカレンダーが印刷されたデータ印刷紙
５　３月、４月のカレンダーが印刷されたデータ印刷紙
６　１月、２月のカレンダーが印刷されたデータ印刷紙
７　封書表面となる封書紙片（封書表片）
１１、１２、１４、１５　ミシン目
１３　折線
１６　窓部
１７　ジッパー部
１８、２１　綴じ代部
２２　縦型部分
２３　データ印刷片
２４　横型部分
２５　ストッパー部
２６　データ印刷紙の略中心部分
２７　印字部
２８　分岐点部分
３０　中抜き加工部
Ｒ１、Ｒ２、Ｒ３、Ｒ４、Ｒ５、Ｒ６、Ｒ７　ロール
【図１】
2004017638.tif 000003
【図２】
2004017638.tif 000004
【図３】
2004017638.tif 000005
【図４】
2004017638.tif 000006
【図５】
2004017638.tif 000007
【図６】
2004017638.tif 000008
【図７】
2004017638.tif 000009
【図８】
2004017638.tif 000010
【図９】
2004017638.tif 000011
【図１０】
2004017638.tif 000012
【図１１】
2004017638.tif 000013
【図１２】
2004017638.tif 000014
【図１３】
2004017638.tif 000015
【図１４】
2004017638.tif 000016
【図１５】
2004017638.tif 000017
【図１６】
2004017638.tif 000018